(57)【要約】【課題】応答前に相手がすぐに切ったごく短い電話をワン切りとして扱うことができると共に、着信と同時に受けてしまって、すぐに切られたごく短い電話に対してもワン切りとして扱うことができる電話端末等を提供する。【解決手段】  電話端末１００は、着信から送信側が切るまでの時間を検出する検出手段と、検出手段により検出された時間と設定時間とを比較する比較手段と、比較手段の比較結果に基づいて、検出手段により検出された時間が、設定時間内である着信の発信者番号に警告情報を付加する情報付加手段と、情報付加手段により警告情報が付加された発信者番号をユーザに通知する通知手段とを備え、着信があった時、着信から送信側が切るまでの時間を検出し、検出された時間と設定時間とを比較し、検出された時間が、設定時間内である着信の発信者番号に警告情報を付加してユーザに通知するようになされる。【選択図】        図２
2005203870.tif 000002
【特許請求の範囲】
【請求項１】
着信から送信側が切るまでの時間を検出する検出手段と、
上記検出手段により検出された時間と設定時間とを比較する比較手段と、
上記比較手段の比較結果に基づいて、上記検出手段により検出された時間が、上記設定時間内である着信の発信者番号に警告情報を付加する情報付加手段と、
上記情報付加手段により警告情報が付加された上記発信者番号をユーザに通知する通知手段と、
着信があった時、着信から送信側が切るまでの時間を検出し、検出された時間と設定時間とを比較し、検出された時間が、上記設定時間内である着信の発信者番号に警告情報を付加してユーザに通知するように制御する制御手段と
を備えることを特徴とする電話端末。
【請求項２】
上記情報付加手段により警告情報が付加された上記発信者番号を記憶する記憶手段さらに備える
ことを特徴とする請求項１に記載の電話端末。
【請求項３】
上記情報付加手段により警告情報が付加された上記発信者番号を着信拒否リストに登録する登録手段さらに備える
ことを特徴とする請求項２に記載の電話端末。
【請求項４】
上記情報付加手段は、
ワン切りの旨を示す警告メッセージを上記発信者番号に付加する
ことを特徴とする請求項１に記載の電話端末。
【請求項５】
上記通知手段は、
上記情報付加手段により警告情報が付加された上記発信者番号を着信履歴に表示することでユーザに通知する
ことを特徴とする請求項１に記載の電話端末。
【請求項６】
上記設定時間は、ユーザにより任意に設定される
ことを特徴とする請求項１に記載の電話端末。
【請求項７】
着信の発信者番号を記憶し、ユーザに通知する機能を有する電話端末を制御するプログラムであって、
コンピュータを、着信から送信側が切るまでの時間を検出する検出手段と、上記検出手段により検出された時間と設定時間とを比較する比較手段と、上記比較手段の比較結果に基づいて、上記検出手段により検出された時間が、上記設定時間内である着信の発信者番号に警告情報を付加する情報付加手段と、上記情報付加手段により警告情報が付加された上記発信者番号をユーザに通知する通知手段として機能させるための制御プログラム。
【発明の詳細な説明】
【技術分野】
【０００１】
この発明は、着信の発信者番号を記憶し、ユーザに通知する機能を有する電話端末に関する。詳しくは、着信があった時、着信から送信側が切るまでの時間を検出し、検出された時間と設定時間とを比較し、検出された時間が、上記設定時間内である着信の発信者番号に警告情報を付加してユーザに通知する構成とすることによって、応答前に相手（送信側）がすぐに切ったごく短い電話をワン切りとして扱うことができると共に、着信と同時に受けてしまって、すぐに切られたごく短い電話に対してもワン切りとして扱うことができるようにした電話端末等に係るものである。
【背景技術】
【０００２】
ごく短い時間の着信で切られた電話を、迷惑な「ワン切り」電話（以下、「ワン切り電話」という）、いわゆる「ワン切り詐欺」という犯罪が増えている。これは、電話端末の着信履歴機能を利用したもので、ごく短い発呼を無差別に行い、ユーザの着信履歴に電話番号を残しておく。ユーザがその電話番号に対して電話をかけ直すと、有料ダイヤルにつながり、法外な料金を請求されるというものである。
【０００３】
従来、着信拒否電話番号を登録し、迷惑電話などを着信しないように制限する手段がある。しかし、これは特定の番号しか拒否できないため、上述したようなワン切り電話に対しては有効性が大きく制限される。
【０００４】
また、ユーザが設定した着信時間以内で切られる電話を迷惑なワン切り電話として取り扱う機能を有する電話端末および制御プログラムが提案されている（例えば、特許文献１参照）。
【０００５】
この場合、電話端末においては、着信報知時間を測定する手段と、該着信報知時間と設定時間とを比較する手段と、着信報知時間が設定時間以内である着信の発信者番号を記憶する手段と、該発信者番号への発呼操作が行われた場合、ユーザに対して警告メッセージを通知する手段とを備える。着信があった時、着信報知時間の測定を開始する。着信に応答する前に、着信が終了した場合、測定した着信報知時間と設定時間とを比較し、着信報知時間が設定時間以内である着信を迷惑なワン切り電話として取り扱い、特別な着信として記憶する。ユーザがこのワン切り電話の発信者番号への発呼操作が行われた場合、ユーザに対して警告メッセージを通知することができる。
【０００６】
【特許文献１】特開２００３−１１８９８０号公報（第３,４頁、第２図）
【発明の開示】
【発明が解決しようとする課題】
【０００７】
しかしながら、上述した電話端末は、着信報知時間または着信報知回数でワン切り電話であるか否かを判断しているため、受信直後（応答直後）に切られた電話に対しては、迷惑電話とならないという問題があった。
【０００８】
そこで、この発明は、応答前に相手がすぐに切ったごく短い電話をワン切りとして扱うことができると共に、着信と同時に受けてしまって、すぐに切られたごく短い電話に対してもワン切りとして扱うことができるようにした電話端末および制御プログラムを提供することを目的とする。
【課題を解決するための手段】
【０００９】
この発明に係る電話端末は、着信から送信側が切るまでの時間を検出する検出手段と、該検出手段により検出された時間と設定時間とを比較する比較手段と、該比較手段の比較結果に基づいて、検出手段により検出された時間が、設定時間内である着信の発信者番号に警告情報を付加する情報付加手段と、該情報付加手段により警告情報が付加された発信者番号をユーザに通知する通知手段と、着信があった時、着信から送信側が切るまでの時間を検出し、検出された時間と設定時間とを比較し、検出された時間が、上記設定時間内である着信の発信者番号に警告情報を付加してユーザに通知するように制御する制御手段とを備えるものである。
【００１０】
例えば、電話端末においては、情報付加手段により警告情報が付加された発信者番号を記憶する記憶手段さらに備えるようになされる。また、情報付加手段は、ワン切りの旨を示す警告メッセージを発信者番号に付加するようになされる。また、通知手段は、情報付加手段により警告情報が付加された発信者番号を着信履歴に表示することでユーザに通知するようになされる。
【００１１】
また、この発明に係る制御プログラムは、着信の発信者番号を記憶し、ユーザに通知する機能を有する電話端末を制御するプログラムであって、コンピュータを、着信から送信側が切るまでの時間を検出する検出手段と、該検出手段により検出された時間と設定時間とを比較する比較手段と、該比較手段の比較結果に基づいて、検出手段により検出された時間が、設定時間内である着信の発信者番号に警告情報を付加する情報付加手段と、該情報付加手段により警告情報が付加された上記発信者番号をユーザに通知する通知手段として機能させるためのものである。
【００１２】
この発明においては、着信があった時、着信から送信側が切るまでの時間を検出し、検出された時間と設定時間とを比較し、検出された時間が、上記設定時間内である着信の発信者番号に警告情報を付加してユーザに通知するようになされる。
【００１３】
これにより、応答前に相手がすぐに切ったごく短い電話をワン切りとして扱うことができると共に、着信と同時に受けてしまって、すぐに切られたごく短い電話に対してもワン切りとして扱うことが可能となる。
【００１４】
また、情報付加手段によりワン切りの旨を示す警告メッセージを発信者番号に付加することで、不審電話の可能性が高い電話の特性が容易になり、不審電話件数自体を減らせることが可能となる。また、着信電話に対してリダイアルを行うときに、注意しなければならない電話が一目で分かることが可能となる。また、着信拒否機能がある電話の場合には、その候補となる相手が選択しやすくなる。
【００１５】
また、着信から送信側が切るまでの時間と比較するための設定時間を、ユーザにより任意に設定できるため、多種の迷惑電話に対応することが可能となる。
【発明の効果】
【００１６】
この発明によれば、電話端末において、着信から送信側が切るまでの時間を検出する検出手段と、該検出手段により検出された時間と設定時間とを比較する比較手段と、該比較手段の比較結果に基づいて、検出手段により検出された時間が、設定時間内である着信の発信者番号に警告情報を付加する情報付加手段と、該情報付加手段により警告情報が付加された発信者番号をユーザに通知する通知手段とを備え、着信があった時、着信から送信側が切るまでの時間を検出し、検出された時間と設定時間とを比較し、検出された時間が、設定時間内である着信の発信者番号に警告情報を付加してユーザに通知するものであり、応答前に相手がすぐに切ったごく短い電話をワン切りとして扱うことができると共に、着信と同時に受けてしまって、すぐに切られたごく短い電話に対してもワン切りとして扱うことができる。
【発明を実施するための最良の形態】
【００１７】
以下、図面を参照しながら、この発明の第１の実施の形態の電話端末および制御プログラムについて説明する。
【００１８】
図１は、本発明の第１の実施の形態の電話端末１００の構成を示す図である。図１に示すように、電話端末１００は、アンテナ１１と、無線部１２と、制御部１３と、メモリ１４と、スピーカ１５と、マイクロホン１６と、ディスプレイ１７と、操作部１８とから構成されている。
【００１９】
アンテナ１１は、無線通信用アンテナであり、無線通信基地局を介して自己の状態データを他の携帯電話１００に送信したり、他の携帯電話１００から送られてきた状態のデータを受信したりする際に用いられている。
【００２０】
無線部１２は、デュプレクサ（Duplexer）、受信回路、送信回路、ＤＳＰ（Digital Signal Processor）を有する。デュプレクサは、無線通信基地局との間で送受信を行う際の送受信切り換え器である。受信回路は、無線通信基地局からの信号を、アンテナ１１を介して受け取ってＤＳＰに供給する回路である。送信回路は、ＤＳＰからの信号をアンテナ１１から無線通信基地局へ送信する回路である。ＤＳＰは、積和演算の繰り返しを高速に処理する回路から構成され、音声および画像等のデジタル信号を処理するものである。
【００２１】
制御部１３は、制御手段として、着信があった時、着信から送信側が切るまでの時間を検出し、検出された時間と設定時間とを比較し、検出された時間が、設定時間内である着信の発信者番号に警告情報を付加してユーザに通知するように電話端末１００の全体動作を制御するようになされる。
【００２２】
また、この制御部１３は、検出手段として、着信から送信側が切るまでの時間を検出するようになされる。また、この制御部１３は、比較手段として、検出手段により検出された時間とユーザが設定された設定時間とを比較するようになされる。また、この制御部１３は、情報付加手段として、検出手段により検出された時間が、設定時間内である着信の発信者番号に警告情報を付加するようになされる。
【００２３】
また、この制御部２３は、通知手段として、「ワン切り」等の警告メッセージが付加された発信者番号をディスプレイ１７に表示させる処理等を行う。
【００２４】
メモリ１４は、制御プログラム、電話帳、ダイヤルした電話番号の発信履歴を記録するものである。また、このメモリ１４は、着信した発信者番号を記憶する記憶手段として、着信履歴を記憶するエリアが設けられている。着信があった時、着信から送信側が切るまでの時間が、設定時間内である着信の発信者番号に警告情報を付加して着信履歴に記憶することができるようになされる。
【００２５】
スピーカ１５は、通話の音声信号を出力したり、着信があった時に着信音（メロディ）を出力し、着信を報知したりするために使用される。マイクロホン１６は、通話の音声信号を入力するために使用される。
【００２６】
ディスプレイ１７は、例えば、ＬＣＤ（Liquid Crystal Display）からなる表示画面を有する表示装置である。このディスプレイ１７は、入力された電話番号を表示したり、着信の発信者番号などを表示したりするようになされる。また、ディスプレイ１７は、制御部２３から送られてきた「ワン切り」等の警告メッセージが付加された発信者番号を表示するようになされる。
【００２７】
操作部１８は、テンキー等入力キー群から構成され、電話番号、メッセージ等を入力する手段である。この操作部１８を用いて、着信があった時、着信から送信側が切るまでの時間を比較するための設定時間を入力し、設定することができる。
【００２８】
続いて、図面を参照しながら、本発明に係る電話端末１００の動作例を説明する。図２は、着信があった時電話端末の動作例を示すフローチャートである。
【００２９】
図２に示すように、着信があった時、電話端末１００は予め用意された制御プログラムに基づいて制御される。まず、ステップＳ１１で、呼び出し要求を受ける。ここで、電話端末１００は、無線通信基地局からの呼び出し信号を受信する。
【００３０】
次に、ステップＳ１２で、カウントを開始する。この場合、電話端末１００内部のタイマをスタートさせ、時間の計測を行う。そして、ステップＳ１３で、カウント開始と共に、着信報知を行う。ここで、例えばスピーカ１５を介して着信音（ベル、メロディ）を出力し、ユーザに着信したことを報知する。なお、着信報知には、バイブレータを用いて行うようにしてもよい。
【００３１】
次に、ステップＳ１４で、電話を受信したか否か、即ち、着信に応答したか否かを判断する。電話を受信しないと判断された場合には、ステップＳ１５で、呼び出し解除要求を受ける。この場合、着信に応答する前に、送信側が電話を切る際の呼び出し解除要求を受信する。
【００３２】
次に、ステップＳ１６で、呼び出し解除要求を受信すると共に、着信報知を終了する。そして、ステップＳ１７で、カウントを止まる。この場合、電話端末１００内部のタイマをストップし、着信から送信側が切るまでの時間を計測するようになされる。
【００３３】
次に、ステップＳ１８で、カウント値が設定された値より小さいか否かを判断する。この場合、計測した着信から送信側が切るまでの時間が、ユーザにより設定された時間より短いか否かを判断するようになされる。
【００３４】
ステップＳ１８で、カウント値が設定された値より小さいと判断された場合には、ステップＳ１９で、着信の発信者番号に警告情報（例えば、「ワン切り」等の警告メッセージ）を付加して着信履歴にまたはディスプレイ１７に警告メッセージを表示する。これにより、この着信が迷惑なワン切り電話であることをユーザに通知する。
【００３５】
また、ステップＳ１８で、カウント値が設定された値以上と判断された場合には、ステップＳ２０で、通常の不在着信として処理する。例えば、着信があった発信者番号を着信履歴に記憶する。ユーザがこの番号に対して電話をかけ直すとき、この番号をディスプレイ１７に表示することが可能となされる。そして、動作を終了する。
【００３６】
なお、ステップＳ１４で、電話を受信した、即ち、着信に応答したと判断された場合には、ステップＳ２１へ進む。ステップＳ２１で、受信側が電話を切ったか否かを判断する。受信側（ユーザ）が電話を切ったと判断された場合には、そのまま動作を終了する。
【００３７】
一方、ステップＳ２１で、受信側が電話を切っていないと判断された場合には、ステップＳ２２で、送信側が電話を切ったか否かを判断する。送信側が電話を切っていないと判断された場合には、ステップＳ２１に戻り、上述した動作を繰り返す。一方、送信側が電話を切ったと判断された場合には、ステップＳ１７へ進む。
【００３８】
次に、ステップＳ１７で、カウントを止まる。この場合、電話端末１００内部のタイマをストップし、着信から送信側が切るまでの時間を計測するようになされる。
【００３９】
次に、ステップＳ１８で、カウント値が設定された値より小さいか否かを判断する。この場合、計測した着信から送信側が切るまでの時間が、ユーザにより設定された時間より短いか否かを判断するようになされる。
【００４０】
ステップＳ１８で、カウント値が設定された値より小さいと判断された場合には、ステップＳ１９で、着信の発信者番号に警告情報（例えば、「ワン切り」等の警告メッセージ）を付加して着信履歴にまたはディスプレイ１７に警告メッセージを表示する。これにより、この着信が迷惑なワン切り電話であることをユーザに通知する。
【００４１】
また、ステップＳ１８で、カウント値が設定された値以上と判断された場合には、ステップＳ２０で、通常の不在着信として処理する。例えば、着信があった発信者番号を着信履歴に記憶する。そして、動作を終了する。
【００４２】
このように本実施の形態においては、電話端末１００は、着信から送信側が切るまでの時間を検出する検出手段と、この検出手段により検出された時間と設定時間とを比較する比較手段と、この比較手段の比較結果に基づいて、検出手段により検出された時間が、設定時間内である着信の発信者番号に警告情報を付加する情報付加手段と、この情報付加手段により警告情報が付加された発信者番号をユーザに通知する通知手段とを備え、着信があった時、着信から送信側が切るまでの時間を検出し、検出された時間と設定時間とを比較し、検出された時間が、設定時間内である着信の発信者番号に警告情報を付加してユーザに通知するようになされる。
【００４３】
これにより、応答前に相手がすぐに切ったごく短い電話をワン切りとして扱うことができると共に、着信と同時に受けてしまって、すぐに切られたごく短い電話に対してもワン切りとして扱うことができる。
【００４４】
また、ワン切りの旨を示す警告メッセージを発信者番号に付加することで、不審電話の可能性が高い電話の特性が容易になり、不審電話件数自体を減らせることが可能となる。また、着信番号に対して電話をかけ直すときに、注意しなければならない電話が一目で分かることが可能となる。また、着信拒否機能がある電話の場合には、その候補となる相手が選択しやすくなる。
【００４５】
また、着信から送信側が切るまでの時間と比較するための設定時間を、ユーザにより任意に設定できるため、多種の迷惑電話に対応することが可能となる。
【００４６】
以下、図面を参照しながら、この発明の第２の実施の形態の電話端末および制御プログラムについて説明する。
【００４７】
図３は、本発明の第２の実施の形態の電話端末２００の構成を示す図である。この図３に示す電話端末２００は、ネットワークを通して電話局（またはプロバイダの制御サーバ）を介して呼び出し要求などの制御情報の送受信および通話を行う一般電話、ＩＰ電話またはパーソナルコンピュータである。
【００４８】
図３に示すように、電話端末２００は、通信網２１と、ネットワーク部２２と、制御部２３と、メモリ２４と、スピーカ２５と、マイクロホン２６と、ディスプレイ２７と、操作部２８とから構成されている。
【００４９】
通信網２１は、電話回線、光ファイバなどにより構成され、音声などデータを通信するための通信システムである。この通信網２１は、電話局（またはプロバイダの制御サーバ）を介して他の一般電話、ＩＰ電話またはパーソナルコンピュータに接続されている。
【００５０】
ネットワーク部２２は、通信網２１に接続するための回路である。このネットワーク部２２を介して情報を通信網２１上の他の電話に送信したり、他の電話から送られてきた情報を受信したりすることができる。
【００５１】
制御部２３は、制御手段として、着信があった時、着信から送信側が切るまでの時間を検出し、検出された時間と設定時間とを比較し、検出された時間が、設定時間内である着信の発信者番号に警告情報を付加してユーザに通知するように電話端末２００の全体動作を制御するようになされる。
【００５２】
また、この制御部２３は、検出手段として、着信から送信側が切るまでの時間を検出するようになされる。また、この制御部２３は、比較手段として、検出手段により検出された時間とユーザが設定された設定時間とを比較するようになされる。また、この制御部２３は、情報付加手段として、検出手段により検出された時間が、設定時間内である着信の発信者番号に警告情報（例えば、「ワン切り」等の警告メッセージ）を付加するようになされる。
【００５３】
また、この制御部２３は、通知手段として、「ワン切り」等の警告メッセージが付加された発信者番号をディスプレイ１７に表示させる処理等を行う。
【００５４】
メモリ２４は、制御プログラム、電話帳、ダイヤルした電話番号の発信履歴を記録するものである。また、このメモリ２４は、着信した発信者番号を記憶する記憶手段として、着信履歴を記憶するエリアが設けられている。着信があった時、着信から送信側が切るまでの時間が、設定時間内である着信の発信者番号に警告情報を付加して着信履歴に記憶することができるようになされる。
【００５５】
スピーカ２５は、通話の音声信号を出力したり、着信があった時に着信音（メロディ）を出力し、着信を報知したりするために使用される。マイクロホン２６は、通話の音声信号を入力するために使用される。
【００５６】
ディスプレイ２７は、例えば、ＬＣＤ（Liquid Crystal Display）からなる表示画面を有する表示装置である。このディスプレイ２７は、入力された電話番号を表示したり、着信の発信者番号などを表示したりするようになされる。また、ディスプレイ１７は、制御部２３から送られてきた「ワン切り」等の警告メッセージが付加された発信者番号を表示するようになされる。
【００５７】
操作部２８は、テンキー等入力キー群から構成され、電話番号、メッセージ等を入力する手段である。パーソナルコンピュータの場合は、キーボードとなる。この操作部２８を用いて、着信があった時、着信から送信側が切るまでの時間を比較するための設定時間を入力し、設定することができる。
【００５８】
本発明に係る電話端末２００の動作は、上述した図２に示す着信があった時電話端末１００の動作と同様であり、予め用意された制御プログラムに基づいて制御される。その詳細説明は省略する。
【００５９】
このように本実施の形態においては、電話端末２００は、着信から送信側が切るまでの時間を検出する検出手段と、この検出手段により検出された時間と設定時間とを比較する比較手段と、この比較手段の比較結果に基づいて、検出手段により検出された時間が、設定時間内である着信の発信者番号に警告情報を付加する情報付加手段と、この情報付加手段により警告情報が付加された発信者番号をユーザに通知する通知手段とを備え、着信があった時、着信から送信側が切るまでの時間を検出し、検出された時間と設定時間とを比較し、検出された時間が、設定時間内である着信の発信者番号に警告情報を付加してユーザに通知するようになされる。
【００６０】
これにより、応答前に相手がすぐに切ったごく短い電話をワン切りとして扱うことができると共に、着信と同時に受けてしまって、すぐに切られたごく短い電話に対してもワン切りとして扱うことができる。
【００６１】
また、ワン切りの旨を示す警告メッセージを発信者番号に付加することで、不審電話の可能性が高い電話の特性が容易になり、不審電話件数自体を減らせることが可能となる。また、着信番号に対して電話をかけ直すときに、注意しなければならない電話が一目で分かることが可能となる。また、着信拒否機能がある電話の場合には、その候補となる相手が選択しやすくなる。
【００６２】
また、着信から送信側が切るまでの時間と比較するための設定時間を、ユーザにより任意に設定できるため、多種の迷惑電話に対応することが可能となる。
【００６３】
なお、上述実施の形態においては、応答前に相手がすぐに切ったごく短い電話と、着信と同時に受けてしまって、すぐに切られたごく短い電話の発信者番号に対して警告情報を付加して着信履歴に記憶するものであるが、これに限定されるものではない。例えば、着信の発信者番号を電話帳から検索する検索手段を設け、着信の発信者番号が電話帳から検索されなかった場合、この着信の発信者番号に対して警告情報を付加して着信履歴に記憶するようにしてもよい。これにより、電話帳にすでに登録された発信者からの着信があった時、誤って送信側が「切る」ボタンを押してしまった場合、迷惑なワン切り電話として扱うことを避けることができる。
【００６４】
また、上述実施の形態においては、応答前に相手がすぐに切ったごく短い電話と、着信と同時に受けてしまって、すぐに切られたごく短い電話の発信者番号に対して警告情報を付加して着信履歴に記憶し、表示するようになされるが、これに限定されるものではない。例えば、さらに、警告情報が付加された発信者番号に対して自動的に着信拒否機能に登録するようにしてもよい。
【００６５】
また、上述実施の形態においては、警告情報として「ワン切り」等の警告メッセージを発信者番号に付加するものであるが、これに限定されるものではない。例えば、ワン切り電話と判断される発信者番号を所定の色で表示するようにしてもよい。
【産業上の利用可能性】
【００６６】
以上のように、この発明に係る電話端末および制御プログラムは、着信の発信者番号を記憶し、ユーザに通知する機能を有する電話端末において、ごく短い時間の着信で切られた迷惑な「ワン切り」電話に対して有効に判別し対応する目的に利用できる。
【図面の簡単な説明】
【００６７】
【図１】第１の実施の形態の電話端末の構成例を示す図である。
【図２】着信があった時電話端末の動作例を示すフローチャートである。
【図３】第２の実施の形態の電話端末の構成例を示す図である。
【符号の説明】
【００６８】
１１・・・アンテナ、１２・・・無線部、１３,２３・・・制御部、１４,２４・・・メモリ、１５,２５・・・スピーカ、１６,２６・・・マイクロホン、１７,２７・・・ディスプレイ、１８,２８・・・操作部、２１・・・通信網、２２・・・ネットワーク部、１００,２００・・・電話端末
【図１】
2005203870.tif 000003
【図２】
2005203870.tif 000004
【図３】
2005203870.tif 000005